(57)【要約】  本発明の吸収性物品は、トップシートと、バックシートと、トップシートとバックシートとの間に設けられた吸収性コアと、トップシートと吸収性コアとの間に設けられた印刷された接着剤層を含む。吸収性コアはチャネルを含んでもよく、接着性印刷層はトップシートから透けて見えてもよい。
2015533623.tif 000002
【特許請求の範囲】
【請求項１】
トップシートと、バックシートと、前記トップシートと前記バックシートとの間に配置された吸収性コアとを含む吸収性物品であって、前記トップシートと前記吸収性コアとの間に配置された印刷された接着剤層を更に含み、前記吸収性コアは、チャネルを含み、前記印刷された接着剤層は、前記トップシートを通して見えることを特徴とする、吸収性物品。
【請求項２】
前記トップシートと前記吸収性コアとの間に配置された捕捉層を更に含み、前記印刷された接着剤層は前記捕捉層上に印刷され、好ましくは前記印刷された接着剤層は前記捕捉層の色とは異なる色であり、より好ましくは前記捕捉層は前記吸収性コアに隣接する表面を有し、前記印刷された接着剤層は前記吸収性コアに隣接する前記捕捉層の前記表面に印刷されている、請求項１に記載の吸収性物品。
【請求項３】
前記印刷された接着剤層は、パターンとして見え、好ましくは前記パターンは、前記吸収性コアチャネルの形状に実質的に一致する、請求項１に記載の吸収性物品。
【請求項４】
前記吸収性コアチャネルは非直線状の形状を有し、好ましくは前記吸収性コアチャネルは起伏がある、請求項３に記載の吸収性物品。
【請求項５】
前記吸収性物品は前記バックシート上に印刷されたグラフィックを更に含み、好ましくは前記バックシートに印刷されたグラフィックは前記印刷された接着剤層のパターンと実質的に一致し、これにより、前記チャネルの位置を示す、請求項３に記載の吸収性物品。
【請求項６】
前記トップシートはエンボス加工を含み、好ましくは前記吸収性物品は、吸収性物品の構成要素を製造ライン上で組立てられることにより作製され、前記トップシートのエンボス加工がオンラインで行われる、請求項１〜５のいずれか一項に記載の吸収性物品。
【請求項７】
一対のチャネルを含み、前記チャネルは前記バックシートの長さ及び幅に対称的に配置され、前記チャネルの位置を示すグラフィックの機械方向における長さ（Ｌ’）に対する前記バックシートの長さ（Ａ’）の比率が２．２から２．７であり、好ましくはＬ’に対するＡ’の比率は２．３〜２．５であり、より好ましくはＬ’に対するＡ’の比率は２．４である、請求項５に記載の吸収性物品。
【請求項８】
一対のチャネルを含み、前記チャネルは前記バックシートの長さ及び幅に対称的に配置され、前記チャネル位置を示すグラフィックの機械方向における長さ（Ｌ’）に対する前記バックシートの長さの半分（Ｂ’）の比率が１．０〜１．４であり、好ましくはＬ’に対するＢ’の比率は１．１〜１．３であり、より好ましくはＬ’に対するＢ’の比率は１．２である、請求項５に記載の吸収性物品。
【請求項９】
一対のチャネルを含み、前記チャネルは前記バックシートの長さ及び幅に対称的に配置され、前記バックシートの（機械方向）長さ（Ｆ’）の中間点において、前記チャネルの位置を示すグラフィックの間の、横方向における、スペースに対する前記バックシートの幅（Ｐ’）の比率が８．０〜９．８であり、好ましくはＦ’に対するＰ’の比率は８．５〜９．４であり、より好ましくはＦ’に対するＰ’の比率は８．９である、請求項５に記載の吸収性物品。
【請求項１０】
少なくとも二対のチャネルを含み、各チャネルはその対応する対に対して、前記バックシートの長さ及び幅に対称的に配置され、
（ａ）前記内側チャネルの前記位置を示す前記グラフィックは、横方向に、前記外側チャネルの位置を示す前記グラフィックを越えて延びず、及び／又は
（ｂ）前記内側チャネルの前記位置を示す前記グラフィックは、機械方向に、前記内側チャネルを越えて延びず、前記内側チャネルは機械方向に前記吸収性コアを越えて延びず、及び／又は、
（ｃ）前記外側チャネルの位置を示す前記グラフィックは、機械方向に、前記外側チャネルを越えて延びず、前記外側チャネルは機械方向に前記吸収性コアを越えて延びない、請求項５に記載の吸収性物品。
【請求項１１】
トップシートと、バックシートと、前記トップシートと前記バックシートとの間に配置された吸収性コアと、前記トップシートと前記吸収性コアとの間に配置された捕捉層とを含む吸収性物品であって、前記吸収性コアはチャネルを含み、前記トップシート、バックシート、及び前記捕捉層のうちの少なくとも１つが印刷を有し、前記チャネルと前記印刷が重ならないことを特徴とする、吸収性物品。
【請求項１２】
前記印刷は液体のものであり、前記液体は、インク、接着剤、又はインクと接着剤との混合物である、請求項１１に記載の吸収性物品。
【請求項１３】
前記捕捉層は、前記吸収性コアに隣接する表面を有し、前記接着剤印刷層は、前記吸収性コアに隣接する前記捕捉層表面上に印刷される、請求項１１又は１２に記載の吸収性物品。
【請求項１４】
前記バックシート上に印刷されたグラフィックを更に含む、請求項１１〜１３のいずれか一項に記載の吸収性物品。
【請求項１５】
前記印刷は、前記バックシート上にある、請求項１１に記載の吸収性物品。
【請求項１６】
前記印刷は、前記トップシート上にある、請求項１１に記載の吸収性物品。
【請求項１７】
前記チャネル及び前記印刷が重ならないように、位置合わせが使用される、請求項１１〜１６のいずれか一項に記載の吸収性物品。
【請求項１８】
トップシートと、バックシートと、前記トップシートと前記バックシートとの間に配置された吸収性コアと、前記トップシートと前記吸収性コアとの間に配置された捕捉層とを含む吸収性物品であって、前記吸収性コアが非直線状のチャネルを含み、グラフィックが前記バックシート上に印刷されていることを特徴とする、吸収性物品。
【請求項１９】
前記捕捉層は前記吸収性コアに隣接する表面を有し、
接着剤のパターン層が、前記吸収性コアに隣接する前記捕捉層の前記表面に印刷されており、
前記印刷された接着剤層及び前記バックシートのグラフィックは互いに実質的に一致し、好ましくは印刷された接着剤層及び前記バックシートのグラフィックは、互いに及び非直線状のチャネルの形状に実質的に一致する、請求項１８に記載の吸収性物品。
【請求項２０】
前記印刷された接着剤層は、消費者に前記吸収性コアチャネルの１つ以上の利点を伝達するシグナルである、請求項１〜１９のいずれか一項に記載の吸収性物品。
【発明の詳細な説明】
【技術分野】
【０００１】
本発明は、チャネルを有するコア及び印刷されたシグナルを備えた吸収性物品に関する。
【背景技術】
【０００２】
尿又は糞などの身体排泄物を受容し保持するための吸収性物品は、当該技術分野において周知である。これらの例としては、使い捨ておむつ、トレーニングパンツ、及び成人失禁用品が挙げられる。典型的には、使い捨ておむつは、着用者の身体に面する液体透過性トップシートと、着用者の衣類に面する液体不透過性バックシートと、液体透過性トップシートとバックシートとの間に介在する吸収性コアと、を含む。
【０００３】
使い捨て吸収性物品の重要な構成要素は、吸収性コア／吸収性構造体である。吸収性コア／吸収性構造体は、典型的には、吸収性ゲル化材料、ＡＧＭ、又は超吸収性ポリマー、ＳＡＰとも称されるヒドロゲル形成ポリマー材料等の超吸収性ポリマー材料を含む。この超吸収性ポリマー材料は、大量の身体流出物、例えば尿が、吸収性物品によるその使用中の吸収及び閉じ込めを可能にすることにより、濡れた感触を低下させ、皮膚に対する乾燥度を向上させることを保証する。
【０００４】
従来、超吸収性ポリマー材料は、パルプ、すなわちセルロース繊維を有する吸収性コア構造に組み込まれる。吸収性コア構造体を薄くするために、吸収性コア構造体からこれらのセルロース繊維を低減する、又は排除することが提案されてきた。
【０００５】
しかしながら、セルロース繊維包含量が低減された一部の吸収性コア構造は、体液が充填されていないときは非常に薄い一方で、特に、おむつの前方区域及び股部区域など、吸収性物品の吸収容量の大部分を含むこれらの区域において、部分的に充填される又は完全に充填されるときに硬度が増し得るとの知見が得られた。超吸収性ポリマー粒子を包含しない又は超吸収性ポリマー材料を包含しない特定の永続的チャネルを提供することで、向上した液体移動、すなわちより迅速な捕捉及び吸収性構造体全体におけるより効率的な液体吸収性が得られ、また、より吸収性が低い材料を使用しても、驚くほど向上した性能を得ることができるという知見が得られた。吸収性材料又はチャネルを固定化することにより（接着剤の使用により、チャネルはより永続的になり、吸収性構造体の使用時、例えば吸収性構造体に摩擦力が適用されるとき、又は吸収性構造体が濡れるとき、及び吸収性材料が膨張するときにチャネルを保持する。更に、かかるチャネルの提供により、その使用中においてその性能を驚異的に維持しながら、例えば吸収性コア／構造の前方領域、及び／又は吸収性コア／構造の股部領域において柔軟性が向上したおむつを提供することができるということを発見している。
【発明の概要】
【発明が解決しようとする課題】
【０００６】
吸収性コアの機能性が改善されるように変化すると、例えば、吸収性、フィット感、又は低コスト、物品の性能及び／若しくは外観が悪影響を受ける場合がある。物品又は物品の部分を変更して特定の外観を与えるように努力することはできる。いくつかの例では、物品は、チャネルが物品の吸収性コア内に存在し、チャネルがより速く、より効率的な液体吸収性を得るために存在していることを介護者に伝える、又は示すために改善されていてもよい。このような示すこと又は伝達は、例えば、外側のグラフィック及び／又は内側の印刷された接着剤を介して行われてもよい。このように、優れた性能を呈しかつ見た目の良い、チャネルを備えた吸収性コアを含む改良された吸収性物品が求められている。
【課題を解決するための手段】
【０００７】
本発明の吸収性物品は、トップシートと、バックシートと、トップシートとバックシートとの間に設けられた吸収性コアと、トップシートと吸収性コアとの間に設けられた印刷された接着剤層を含む。吸収性コアはチャネルを含んでもよく、接着剤印刷層はトップシートを通して見えてもよい。
【図面の簡単な説明】
【０００８】
【図１】非限定的な一実施形態に係る、おむつの平面図を示す。
【図２Ａ】非限定的な一実施形態に係る、吸収性構造体の斜視図を示す。
【図２Ｂ】非限定的な一実施形態に係る、別の吸収性層の斜視図を示す。
【図２Ｃ】非限定的な一実施形態に係る、吸収性構造体と組み合わせ可能な吸収性構造体の斜視図を示す。
【図３Ａ】非限定的な一実施形態に係る、別の吸収性層の斜視図を示す。
【図３Ｂ】非限定的な一実施形態に係る、別の吸収性構造体の斜視図を示す。
【図４Ａ】非限定的な一実施形態に係る、別の吸収性層の斜視図を示す。
【図４Ｂ】非限定的な一実施形態に係る、別の吸収性層の斜視図を示す。
【図５】非限定的な一実施形態に係る、吸収性コアの断面図を示す。
【図６】非限定的な一実施形態に係る、別の吸収性コアの断面図を示す。
【図７】非限定的な一実施形態に係る、別の吸収性コアの断面図を示す。
【図８】非限定的な一実施形態に係る、別の吸収性コアの断面図を示す。
【図９】非限定的な一実施形態に係る、別の吸収性コアの断面図を示す。
【図１０】非限定的な一実施形態に係る、別の吸収性コアの断面図を示す。
【図１１】非限定的な一実施形態に係る、別の吸収性コアの断面図を示す。
【図１２】非限定的な一実施形態に係る、別の吸収性コアの断面図を示す。
【図１３】非限定的な一実施形態に係る、別の吸収性コアの断面図を示す。
【図１４】非限定的な一実施形態に係る、本開示の２つの吸収性構造体を含む、吸収性コアを形成する方法／装置を示す。
【図１５】バックシートのグラフィックを含む本発明の吸収性物品の非限定的な実施形態の平面図を示す。
【図１６】バックシートのグラフィックを含む本発明の吸収性物品の非限定的な実施形態の平面図を示す。
【図１７Ａ】印刷された接着剤のパターンの非限定的な実施形態の上面表示を示す。
【図１７Ｂ】印刷された接着剤のパターンの非限定的な実施形態の上面表示を示す。
【図１７Ｃ】印刷された接着剤のパターンの非限定的な実施形態の上面表示を示す。
【図１８】印刷された接着剤のパターンの非限定的な実施形態の上面表示を示す。
【図１９】チャネルの形状及び起伏に近似するバックシートのグラフィックの平面図を示す。
【発明を実施するための形態】
【０００９】
用語の定義
「吸収性物品」は、身体排出物を吸収し、封じ込める装置を指し、より具体的には、着用者の身体に接触し、又は近接して配置され、身体から排泄された様々な排出物を吸収し、及び封じ込める装置を指す。吸収性物品は、成人及び乳幼児用おむつ（１）、乳幼児用トレーニングパンツ及び成人失禁用下着等のパンツ、生理用ナプキン、パンティーライナー、及び成人排泄物用パッド等の女性用衛生用品、並びに、母乳パッド、漏れ防止マット、よだれかけ、傷口保護用品等を含んでもよい。吸収性物品は、更に、床掃除用品、食品製造物品等を含んでもよい。本明細書で使用するところの「体液」又は「身体排出物」なる用語には、これらに限定されるものではないが、尿、血液、膣排泄物、母乳、汗及び糞便が含まれる。
【００１０】
本明細書で使用するとき、「おむつ（１）」とは、身体から排出される様々な排泄物を吸収及び収容するために着用者の皮膚に対して着装されることを意図する装置を指す。おむつ（１）は、一般に、着用者の腰及び脚を取り囲むように、乳幼児及び尿失禁者により胴体下部の周囲に着用される。おむつ（１）の例は、乳幼児又は成人用おむつ（１）及びトレーニングパンツ等のパンツ形状のおむつ（１）を含む。おむつは、少なくとも１つの締結部材（８）と、少なくとも１つのランディング領域（９）と、を含み得る締結装置を含んでもよく、レッグカフ（１０）及び弾性部材（１１）をも含んでもよい。「トレーニングパンツ」という用語は、本明細書で使用するとき、乳幼児又は成人の着用者に合わせて設計されているウエスト開口部及び脚部開口部を含んでいる使い捨て衣類を指す。パンツは、着用者の脚を脚部開口部に挿入し、パンツを着用者の胴体下部の周囲にまでずらすことによって着用者に対して定位置に置くことができる。パンツは、再締着可能及び／又は再締着不可能な結合を使用して、物品の一部分を一緒に接合するなどの非限定的な任意の好適な技術（例えば、シーム、溶接、接着、粘着結合、留め具など）によって予備形成され得る。パンツは、物品の外周に沿った任意の位置において予備成形することができる（例えば、側面固定、前腰部固定）。
【００１１】
「使い捨て」は、本明細書においては、洗濯若しくは他の方法で、復元又は再使用することを通常想定していない（すなわち、１回使用した後に廃棄され、リサイクル、堆肥化、又は他の環境に適合する方法で処理され得ることを前提としている）物品を説明するために使用する。
【００１２】
本明細書で使用するとき、「吸収性構造体（１３）」は、尿等の液体の吸収及び収容に有用な３次元構造を指す。吸収性構造体（１３）は、本明細書に更に記載されるように、吸収性物品の吸収性コア（１３）であってもよい、又は吸収性物品の吸収性コア（７）の一部のみ、すなわち吸収性コア（７）の吸収性構成要素であってもよい。
【００１３】
「超吸収性ポリマー材料」は、本明細書で使用するとき、遠心分離保持能試験（Ｅｄａｎａ  ４４１．２−０１）を使用して計測される純水の０．９重量％食塩水のその重量の少なくとも１０倍（及び典型的には少なくとも１５倍又は少なくとも２０倍）吸収可能な、実質的に水不溶性のポリマー材料を指す。
【００１４】
本明細書で使用するとき、「不織布材料」は、配向性繊維又は不規則に配向された繊維で製造されたウェブを指し、紙と、更なるニードル加工の有無を問わず、接合糸若しくは長繊維を組み込んだ織り製品、編み製品、タフテッド製品、ステッチで接合した製品、又は湿式粉砕によるフェルト製品とを除く。不織布材料及びそれらを作製するためのプロセスは、当該技術分野において既知である。一般に、スパンレイ法、メルトブロー法、カード法、エアレイ法、湿式レイ法、コフォーム、及びこれらの組み合わせを含むことができる不織布材料の製造プロセスは、繊維を成形平面上に置くことを含む。繊維は、天然起源のものであっても人工起源のものであってもよく、短繊維若しくは連続フィラメントであっても、又はその場で形成されたものであってもよい。
【００１５】
本明細書に用いられる「見える」とは、裸眼の目で知覚可能であることを意味する。
【００１６】
チャネルを備える吸収性構造体（１３）
本発明は、チャネルと、チャネルを伝える印刷されたシグナルとを含む吸収性コアを備えた吸収性物品を提供する。本発明は、全て２０１１年６月１０日付に出願された、米国特許出願第１３／４９１，６４２号、第１３／４９１，６４３号、第１３／４９１，６４４号、及び第１３／４９１，６４８号に開示される、チャネルを備えた吸収性物品に関する。
【００１７】
本明細書の吸収性構造体（１３）は、吸収性材料（５０）の吸収性層（１７）を有する支持シート（１６）を含む。吸収性材料（５０）は、少なくとも超吸収性ポリマー材料、及び任意で、セルロース、例えばパルプ又は変性セルロース等のセルロース材料を含む。
【００１８】
吸収性構造体（１３）は更に、以下に更に記載する１つ以上の接着材料を含む。吸収性層（１７）は３次元であり、実質的に前記超吸収性ポリマー材料を含まない第１の実質的に長手方向チャネル（２６）及び第２の実質的に長手方向チャネル（２６）を含む。他の材料は、以下に更に記載するように、前記チャネル（２６）、例えば前記１つ以上の接着材料（４０；６０）内に存在し得る。
【００１９】
吸収性構造体（１３）及び吸収性層（１７）はそれぞれ、例えば構造又は層の長手方向の寸法に延在する長手方向の寸法及び平均の長さＬ、又は例えば構造又は層の横方向の寸法に延在する横方向の寸法及び平均の幅Ｗを有する。吸収性構造体（１３）及び吸収性層（１７）はそれぞれ、使用者の前方に向けて使用される前方領域、使用者の後方に向けて使用される後方領域、及び構造／層の横方向の幅全体にそれぞれ延在しており、かつ、それぞれ、構造／層の平均の長さの１／３を有する、その間の股部領域を有する。
【００２０】
吸収性構造体（１３）及び吸収性層（１７）はそれぞれ、長手方向の中心軸Ｘ、前記長手方向の中心軸Ｘに垂直な横方向の中心軸Ｙを所有し、前記吸収性層（１７）及び前記吸収性構造体（１３）は、それぞれ、構造又は層の長手方向の寸法内に延在する一対の対向する長手方向の側部エッジ、一対の対向する横方向のエッジ（１９）、例えば使用者（着用者）の前方に向けて使用される前方横方向のエッジ、及び使用者の後方に向けて使用される後方横方向のエッジを有する。吸収性構造体（１３）又は吸収性層（１７）の長手方向の側部エッジ（１８）及び／又は横方向のエッジ（１９）は、それぞれ、長手方向の中心軸及び／又は横方向の中心軸に対して平行であってもよい、又は、１つ以上が曲線であってもよい、及び例えば、股部領域内のより狭い横方向の寸法を生じさせてもよい。典型的には、長手方向の側部エッジは、長手方向のＸ軸内において互いに鏡像になっている。
【００２１】
吸収性層（１７）の長手方向の中心Ｘ軸は、それぞれ、本明細書において、長手方向の側部（２０）と称される、吸収性層（１７）の第１及び第２の長手方向の側部（２０）を区切る。こうして、前記長手方向の側部のそれぞれが前記前方領域、股部領域及び後方領域に存在するため、第１の長手方向の部分の前方領域、及び第２の長手方向の部分の前方領域等が存在する。本明細書のいくつかの実施形態において、吸収性層（１７）の前記長手方向の部分は、層のＸ軸において互いに鏡像となる。
【００２２】
吸収性層（１７）は、少なくとも、実質的に前記超吸収性ポリマー粒子を含まない（例えば含まない）第１のチャネル（２６）及び第２のチャネル（２６）を含んでおり、前記チャネル（２６）は、吸収性層（１７）の厚さ（高さ）に延在する。（偶発的に、機能性全体に影響を及ぼさない、チャネル内に非常に少量の超吸収性ポリマー粒子が存在する可能性があることを理解すべきである）。吸収性層（１７）がセルロース誘導体又はセルロースを含む場合、いくつかの実施形態において、前記第１及び第２のチャネル（２６）はまた、かかるセルロース誘導体／セルロース材料を含まない。
【００２３】
第１のチャネル（２６）は、吸収性層（１７）の前記第１の長手方向の側部に存在し、第２のチャネル（２６）は、吸収性層（１７）の前記第２の長手方向の側部に存在する。
【００２４】
第１及び第２のチャネル（２６）はそれぞれ、実質的に長手方向に延伸し、これは、典型的には、各チャネル（２６）が横方向の寸法よりも長手方向の寸法においてより長く、典型的には横方向の寸法の少なくとも二倍の長手方向の寸法で延びることを意味する。
【００２５】
したがって、これは、前記吸収性層（１７）の長手方向の向きに完全に長手方向及び平行（すなわち前記長手方向軸に平行）なチャネル（２６）を含んでおり、曲率半径が、典型的には吸収性層の平均の横方向の寸法と少なくとも等しい（任意でこの平均の横方向の寸法の少なくとも１．５又は少なくとも２．０倍である）場合に、これは、湾曲し得るチャネル（２６）を含んでおり、また、これは、直線であるが、長手方向軸に平行な線と（例えば５°〜）最大で３０°未満、例えば最大で２０°、又は最大で１０°の角度未満であるチャネル（２６）を含む。これは、更に、チャネルの２つの部分の間の前記角度が少なくとも１２０°、少なくとも１５０°、及びこれらのいずれかの場合において、チャネルの長手方向の範囲が横方向の範囲を超えるときに、その内部に角度を有するチャネルを含んでもよい。
【００２６】
いくつかの実施形態では、少なくとも前記股部領域に存在する完全に又は実質的に横方向のチャネルが存在してもよい、又はかかるチャネルが全く存在しなくてもよい。
【００２７】
前記第１及び第２のチャネル（２６）のそれぞれは、前記吸収性層（１７）の平均の幅Ｗの少なくとも４％である平均の幅Ｗ’を有してもよい、又は例えば、Ｗ’は、少なくともＷの７％及び／又は例えば最大でＷの２５％、又は最大でＷの１５％、及び／又は例えば少なくとも５ｍｍ、及び例えば最大で２５ｍｍ、又は例えば最大で１５ｍｍである。
【００２８】
前記第１及び第２のチャネル（２６）の各々は、例えば、前記吸収性層（１７）の平均長さＬの８０％以下であってもよい平均長さＬ’を有してもよく、チャネル（２６）が前方領域のみしか存在せず、又は股部領域にしか存在せず、又は後方領域のみにしか存在しない合、Ｌ’は、例えば、Ｌの２５％以下、若しくはＬの２０％以下、かつ／または、例えば、Ｌの５％以上、若しくはＬの１０％以上であり、かつ／又はＬ’は、例えば、１０ｍｍ以上、若しくは２０ｍｍ以上であってもよく、チャネル（２６）が前記股部領域及び前方領域、並びに任意で後方領域に延在している場合、Ｌ’は、例えば、Ｌの８０％以下、若しくはＬの７０％以下、かつ／又はＬ’は、例えば、Ｌの４０％以上、若しくはＬの５０％以上であってもよい。チャネルが長手方向の軸と平衡でない場合、チャネルの長さＬ’は長手方向の軸に対する投射によって計測される長さである。
【００２９】
チャネル（２６）は、典型的には、いわゆる「永続的」チャネル（２６）であってもよい。永続的とは、チャネル（２６）の完全性が、その上の着用者による摩擦時を含む、乾燥状態及び湿潤状態の両方において少なくとも部分的に維持されることを意味する。以下に記載される湿潤チャネル一体性試験は、チャネルが湿潤飽和の後に恒久的であるか、及びそれがどの程度であるかを試験するために使用され得る。
【００３０】
永続的チャネル（２６）は、前記吸収性材料（５０）及び／又は前記チャネル（２６）、例えば前記吸収性層（１７）を固定化させる、及び／又は前記支持シート（１６）を前記チャネル（２６）又はその一部内に固定化させる、１つ以上の接着材料の提供によって得られてもよい。吸収性コア（７）は、特に、例えば図７及び図１３に例示的に示されるように、チャネルによる第１の支持シート（１６）及び第２の支持シート（１６’）の結合によって形成される永続的なチャネルを含んでもよい。典型的には、チャネルを通る両方の支持シートを結合するためにグル−を使用し得るが、他の周知の手段によって、例えば超音波結合、又は熱結合によって結合することも可能である。支持層は、連続的に結合できる、又はチャネルに沿って断続的に結合できる。
【００３１】
実に、発明者は、かかるチャネルによって、漏れのリスクを低減する迅速な液体捕捉が得られることに着目した。恒久的チャネルは、流体排出区域における吸収性層の飽和を回避するのに役立つ（かかる飽和により、漏れのリスクが増す）。更に、発明者は、予想外にも、予測されたものとは対照的に、吸収性構造体内の超吸収性ポリマー材料の全体量を減らす一方で、（かかる材料を包含しないチャネルを提供することにより）吸収性構造体又はおむつの流体処理特性が向上するという知見を得た。恒久的チャネルは更に、湿潤状態において、吸収性材料はコア内を移動できず、その意図した位置にとどまるため、より良いフィット感及び流体吸収が提供されるという更なる利点を有する。
【００３２】
例えば、発明者は、同量のＡＧＭ及びグル−を有するがチャネルは有さない同様のコアに対し、図４Ａに示されるように、永続的チャネルを有する２つの吸収性層を有するコアのＷＡＩＩＴ試験に従い、湿潤状態のＡＧＭ損失の量を比較した。
【００３３】
要するに、ＷＡＩＩＴ試験は、湿潤状態におけるコアの固定化されない吸収性粒子材料量を決定する。この試験において、吸収性コアは７３％容量まで湿潤され、横方向の向きの中間で切断され、所定の高さから落下され、材料の損失が測定される。試験に関する更なる情報は、米国特許第２００８／０３１２６２２  Ａ１号に記載されている。
【００３４】
その結果として、コアは、チャネルなしの比較対象のコアの６５％（ＳｔＤｅＶ＝５％）の湿潤不動化と比べ、ＡＧＭの８７％（ＳｔＤｅＶ＝５％）の湿潤不動化を有した。この例において、チャネルは、２つの熱可塑性繊維状接着剤層（Ｆｕｌｌｅｒ  １１５１が５ｇｓｍで二度塗布される）及び１つのホットメルト接着剤層（Ｆｕｌｌｅｒ  １３５８が５ｇｓｍで塗布される）を使用した、チャネルにおける２つの支持シートの接着接合によって永続的にされた。
【００３５】
湿潤チャネル一体性試験
この試験は、湿潤飽和後のチャネルの一体性を点検するように構成されている。この試験は、吸収性構造体又は吸収性構造体を含む吸収性コア上において直接実施できる。
１．チャネルの長さ（ｍｍ）は、乾燥状態で測定される（チャネルが真っ直ぐでない場合、チャネルの中央を通じた曲線上の長さが測定される）。
２．吸収性構造体又はコアがその後、５リットルの合成尿「生理食塩水」に浸漬される（適量の塩化ナトリウムを蒸留水に溶かすことにより調製される、１０００ｍｌ当たり９．００ｇ  ＮａＣｌ濃度の溶液）。溶液の温度は２０±５℃でなくてはならない。
３．生理食塩水に１分浸漬した後、吸収性構造体又はコアが取り出されて、排水のために一端を把持して５秒間垂直に保ち、その後衣類に面する面（この面が認識可能である場合）を下にして、水平面に平坦に広げる。吸収性構造体又はコアが伸縮要素を含む場合、吸収性構造体又はコアはＸ及びＹ寸法に緊張状態で引っ張られるため、収縮は見られない。吸収性構造体又はコアの端／縁部は、収縮が生じないように水平面に固定された。
４．吸収性構造体又はコアは、好適な重さの剛性プレートで被覆され、寸法は；吸収性構造体又はコアの伸張した長さと等しい長さ、横断方向における最大吸収性構造体又はコア幅と等しい幅、である。
５．上記の剛性プレートの領域にわたり、１８．０ｋＰａの圧力が３０秒間適用される。圧力は、剛性プレートによって包囲される全領域に基づいて計算される。圧力は、剛性プレートの重量及び追加的な重量の合計が、剛性プレートの全領域にわたり１８．０ｋＰａを生じるように、剛性プレートの幾何学的中心に追加的な重量を配置することにより、達成される。
６．３０秒後、追加的な重量及び合成プレートが取り除かれる。
７．その直後、元の状態のままのチャネルの部分の累積長さがミリメートルで計測される（チャネルが直線でない場合、チャネルの中間を通る曲線長さが計測される）。チャネルのいずれの部分も完全でない場合、チャネルは恒久的でない。
８．恒久的なチャネルの一体性の割合は、完全なままのチャネルの部分の合計長さを、乾燥状態のチャネルの長さで割り、その商に１００を掛けることによって算出される。
【００３６】
有利なことに、本開示による恒久的なチャネルは、この試験に従い、少なくとも２０％、又は３０％、又は４０％、又は５０％、又は６０％、又は７０％、又は８０％、又は９０％の完全性の割合を有する。
【００３７】
例えば図５及び図９に示されるように、１つ以上の接着材料（６０）は、前記支持シート（１６）と前記吸収性層（１７）又はその一部との間、（例えば本明細書において「第２の接着材料」と称される）に存在し得る。例えば、本明細書に記載されるように、チャネル（２６）と一致するべき前記支持シート（１６）の部分に接着材料が塗布され、それにより、前記チャネルにおいて、支持シートがチャネルの壁、その一部、又は更なる材料へ、前記接着によって結合できる、及び／又は、前記材料を固定化させ、前記チャネルへのその広範囲の移動を回避するために、吸収性材料（５０）と一致するべき支持シート（１６）の部分に接着剤を塗布してもよく、例えば、実質的に連続的に及び／又は均一的に、支持シート（１６）の実質的に表面領域全体に接着剤を塗布してもよい。これは、例えば、印刷、スロットコーティング又はスプレーによって塗布されるホットメルト接着剤であってもよい。
【００３８】
追加的に、又は代替的に、吸収性構造体（１３）は、例えば、吸収性層（１７）を形成するために前記吸収性材料（５０）が前記支持シート（１６）と組み合わせられ、かかるシート上に堆積された後で、前記支持シート（１６）によって既に支持される、前記吸収性層（１７）又はその一部上に塗布される（本明細書で「第１の接着材料」と称される）１つ以上の接着材料（４０）を含んでもよい。これは、例えば、本明細書で後述されるように熱可塑性繊維状接着剤であってもよい。いくつかの実施形態では、これは、吸収性層を固定化させ、任意で上記の前記チャネル内の支持シートを更に接着するために、吸収性層（１７）上に、つまり、吸収性材料（５０）上及びチャネル（２６）内に連続的に塗布されてもよい。これは、例えば、図５〜図１１に示される。
【００３９】
なお、第１及び第２の接着材料は、例えば熱可塑性ホットメルト接着剤と同じタイプの接着剤であってもよいことを理解すべきであり、例えば下記のように、第１の接着剤と第２の接着剤との間の差が、こうして、設けられた場所となる。
【００４０】
いくつかの実施形態では、前記１つ以上の接着材料、例えば少なくとも前記第１の接着材料又は前記第１及び第２の接着材料の両方は、少なくともチャネル（２６）に存在する。これは、このため、（吸収性層（１７）の高さ及びその長さに延在する）チャネル（２６）の長手方向の壁に存在してもよい。支持シート（１６）において、材料は前記チャネル（２６）又はその一部内へ折り畳まれ、例えば支持シート（１６）は、前記チャネル（２６）又はその一部内への波形状を有し、前記波形状は、使用中にチャネル（２６）を（少なくとも部分的に）維持できるようにするために、前記壁又はその一部に固定されてもよい。これは、例えば図１０及び図１１に示される。
【００４１】
第１及び第２のチャネル（２６）は、吸収性層（１７）／構造の長手方向の中心軸（Ｘ軸）に対して互いに鏡像になっていてもよい。
【００４２】
いくつかの実施形態では、例えば図に示されるように、前記吸収性層（１７）の前記長手方向の軸と一致するチャネル（２６）は存在しない。チャネル（２６）は、長手方向の寸法全体において互いに離隔してもよい。最小離隔距離Ｄは、例えば、層の平均の横方向の寸法Ｗの少なくとも５％、例えばＷの少なくとも１０％、Ｗの少なくとも１５％、若しくは、少なくとも５ｍｍ又は例えば少なくとも８ｍｍであってもよい。
【００４３】
また、流体の漏れの危険性を低減するために、例えば、図に示すように、長手方向の主チャネル（２６）は、典型的には、横方向の縁部（１９）のいずれにも延在せず、かつ／又は吸収性層（１７）の長手方向の縁部（１８）にも延在しない。典型的には、チャネル（２６）と最も近傍の長手方向の縁部との間の最小距離Ｉは、Ｗの少なくとも５％、または、例えば、Ｗの少なくとも１０％に相当する。いくつかの実施形態では、この距離は例えば少なくとも１０ｍｍであり、吸収性層（１７）のチャネルと最も近い横断方向縁部（１９）との間の最小距離Ｆは、例えば層の平均長さＬの少なくとも５％であり得る。
【００４４】
吸収性構造体は、例えば図２Ｂに示す等、例えば前方領域のみにおいて、又は図２Ａに示される等、例えば中心（股部）領域において、また、例えば、図２Ａに示されるように、任意で前方及び／又は後方領域内へ延在する、２つのチャネルのみを含んでもよい。
【００４５】
吸収性構造体（１３）は、かかるチャネル（２６）の２つを超える数、例えば少なくとも４つ、少なくとも５つ、又は少なくとも６つを含んでもよい。これらのうちのいくつか若しくは全ては、互いに実質的に平行であってもよい。例えば全てが直線及び完全に長手方向であってもよい、及び／又は２つ以上若しくは全てが、長手方向の軸内において互いに鏡像になっていてもよい、又は２つ以上が、湾曲若しくは角度がついていてもよく、例えば、長手方向の軸で互いに鏡像、及び２つ以上が、異なる湾曲又は直線になっている、及び例えば長手方向の軸で互いに鏡像になっていてもよい。これは、例えば図３Ａ及び図３Ｂに示される。
【００４６】
例えば、吸収性層（１７）の前方領域は、典型的には層の長手方向の軸で互いに鏡像である２つ以上のチャネル（２６）を含んでもよく、股部領域は、例えば図４Ａに示される層の長手方向の軸で典型的には互いに鏡像である２つ以上のチャネル（２６）を含んでもよく、後者は、任意で、適用可能な寸法及び上記の他の特性のうちのいずれかを有する、前方領域及び／又は後方領域へと延伸してもよい。任意で、更なるチャネルは、例えば図４Ｂに示される等の２つの後方領域に存在してもよい。
【００４７】
チャネル（２６）を包含しない前記長手方向の軸と一致する長手方向の中心ストリップが存在するように、第１及び第２のチャネル（２６）、及び任意で更なるチャネル（２６）が前記吸収性層（１７）内に配置されてもよく、前記吸収性材料（５０）は、前記ストリップ内に実質的に連続的に存在する。例えば、前記ストリップは、Ｗの少なくとも５％、又はＷの少なくとも１０％、及び／又は例えば少なくとも５ｍｍ、少なくとも１０ｍｍ又は少なくとも１５ｍｍ、及び／又は最大で４０ｍｍの最小幅Ｄを有してもよい。
【００４８】
いくつかの実施形態では、２つの隣接するチャネル（２６）間の前記長手方向の中心ストリップにおいて、吸収性材料（５０）又は前記超吸収性ポリマー材料の平均の坪量は、少なくとも３５０及び例えば最大で１０００グラム／ｍ２、又は例えば４５０グラム／ｍ２から、及び例えば最大で７５０グラム／ｍ２である。
【００４９】
いくつかの好適な実施形態では、各第１及び第２のチャネルに隣接する、任意で前記更なるチャネルに隣接する前記吸収性材料（５０）は実質的に連続的に存在する。
【００５０】
吸収性構造体（１３）は、典型的には、本明細書で更なる材料と称される、吸収性層（１７）を被覆するための１つ以上の更なる材料（例えば更なる材料層）を含む。更なる材料は、例えば本明細書の吸収性構造体（１３）の吸収性層（１７）に接するべき表面上に接着剤を含む層であってもよい。こうして、更なる材料は、吸収性構造体（１３）の前記吸収性層（１７）に隣接して配置される表面上に、接着材料を含んでもよい。
【００５１】
生成された構造は、本明細書において「吸収性コア（７）」と称される。その例は、図５〜図１３に示される。
【００５２】
この更なる材料は、両方の吸収性層（１７、１７’）が前記支持シート（１６；１６’）との間に挟まれるように、第２の吸収性層（１７’）及び第２の支持シート（１６’）を有する更なる吸収性構造体（１３’）であってもよく、これは、本明細書に記載されるように、及び例えば図５、図６、図７、図８に示されるように、２つ以上のチャネル（２６’）を有する本開示の更なる吸収性構造体（１３’）であってもよい、又はこれは、例えば図９に示される等の、本明細書に記載されているがチャネルなしの吸収性構造体であってもよい、及び／又はこれは、本明細書に記載されているが接着剤なしの吸収性構造体であってもよい。
【００５３】
第２の吸収性構造体（１３’）は第１の吸収性構造体（１３）と同一であってもよい、又はこれらは共に、本開示のチャネル（２６、２６’）を有する吸収性構造体であってもよいが、これらは異なっていてもよく、例えば異なるチャネル、異なる数のチャネル（例えば図８に示される等）、異なる接着剤、異なる接着塗布又はその組み合わせを有してもよい。
【００５４】
第１の吸収性構造体（１３）のチャネル（２６）又はこれらのうちのいくつか、及び第２の吸収性構造体（１３’）のチャネル（２６’）又はこれらのうちのいくつかは、互いに一致及び重複してもよく、例えば、完全に又は例えば一部のみ一致する、及び一部のみ重複してもよい、若しくはチャネル（２６、２６’）のいくつかの又は全ては、互いに一致しなくてもよい、及び互いに重複しなくてもよい。いくつかの実施形態では、これらは互いにほぼ同一であり、ある構造のチャネル（２６）は、別の構造のチャネル（２６）と実質的に完全に一致し及び重なっている。これは、例えば図１２に示される。
【００５５】
いくつかの実施形態では、更なる材料は、吸収性層（１７）上に折り畳まれ、次いで吸収性層（１７）を包囲するために周辺エッジ沿いに封止される、支持シート（１６）の一部であってもよい。
【００５６】
いくつかの実施形態では、更なる材料は、更なる支持シート（１６’）であり、すなわち吸収性構造体（１３）は更なる支持シート（１６’）で覆われ、前記吸収性層は２つの支持シートとの間に挟まれる。
【００５７】
いくつかの実施形態では、更なる材料は、例えば前記支持シート（１６）に封止される捕捉材料層（７０）及び／又は捕捉シート（１２）であってもよい。いくつかの実施形態では、更なる材料は、更なる吸収性構造体、例えば上記のこれらのもののうちのいずれか、又は更なる支持シート（１６’）を含んでおり、捕捉材料層（７０）、及び任意で、更なる捕捉シート（１２）と組み合わせられる。これは、例えば図１１で示される。
【００５８】
更なる材料は更に、前記吸収性層（１７）に隣接して存在する捕捉材料層（７０）であってもよく、捕捉材料層（７０）は、任意で、化学的に架橋されたセルロース繊維を含んでおり、捕捉材料層は第２の支持シート（１６’）上に支持される。吸収性層（１７）及び捕捉材料層（７０）は、図１２に例示されるように、第１の構造の前記支持シート（１６）と前記第２の支持シート（１６’）との間に挟まれてもよい。捕捉材料層（７０）は、図１３に示されるように、特に、前記第１の吸収性構造体（１３）のチャネル（２６）と実質的に完全に重なっているチャネル（２６’）を更に含んでもよい。
【００５９】
第１の構造の支持シート（１６）及び／又は捕捉材料層（７０）の第２の支持シート（１６’）は、第１の吸収性構造体（１３）のチャネル（２６）、及び／又は任意で、存在する場合、捕捉材料層（７０）のチャネル（２６’）内へ、若しくはこれらのチャネル（２６，２６’）の一部内へ折り畳まれてもよい。１つ以上の接着材料は、少なくともチャネル（２６、２６’）又はその一部に存在し、支持シート（１６；１６’）は、これらの接着材料のうちの１つ以上によって、前記チャネル（２６、２６’）内において互いに接着されてもよい。別の第２の接着剤（６０’）は、第２の支持シート（１６’）と捕捉材料層（７０）との間に存在し得る。別の接着剤（図示せず）は、両方の層の接着を向上させるために、熱可塑性接着剤（４０）以外にも、捕捉材料層（７０）と吸収性層（１７）との間に配置されてもよい。
【００６０】
これらのいずれの場合も、更なる材料は、吸収性層（１７、任意で１７’）を包囲するために、その周辺エッジに沿いに、支持シート（１６）へと封止することができる。
【００６１】
これらのいずれの場合も、支持シート（１６）又は捕捉層／シートを、前記チャネル（２６）又はその一部内へ折り畳んでもよい（すなわち波形状にされてもよい）。これは例えば図６、図７、図８に示される。
【００６２】
これは、本明細書に記載されるように、例えば接着材料によって、前記チャネル（２６）内の本開示の吸収性構造体（１３）の支持シート（１６）に接着されてもよい。代替的に、又は追加的に、チャネル（２６及び／又は２６’）又はその一部の壁に接着されてもよい。
【００６３】
いくつかの実施形態において、吸収性構造体（１３）は、前記吸収性層（１７）と重ね合うかかる更なる材料を含んでおり、本明細書に記載される接着材料が存在する場合、前記波形状の形成を助け、及び／又は更なる材料及び前記支持シート（１６）が、前記チャネル（２６及び／又は２６’）内において互いに接着するのを助けるように、存在する場合（そのように、つまり存在する場合チャネル２６及び／又は２６’へ）前記支持シート（１６）及び／又は前記更なる材料を吸収性構造体（１３）の前記チャネル内へ及び／又は更なる（第２の）吸収性構造体９１３’のチャネル内へと圧力印加するために、前記チャネル（２６及び／又は２６’）と一致するこれらの部分において、前記支持シート（１６）及び／又は前記更なる材料に対して圧力手段が選択的に印加される。
【００６４】
圧力手段は、支持シート（１６）の前記部分又は前記チャネル（２６及び／又は２６’）と一致する更なる材料と一致できる（すなわち嵌め合いできる）前記チャネル（２６及び／又は２６’）のサイズ、形状、パターンを実質的に有する、盛り上がった部分を有する圧延ロールであってもよい。
【００６５】
いくつかの実施形態では、更なる（例えば第２の）支持シート（１６’）は、第２の支持シート（１６’）をチャネル（２６及び／又は２６’）又はその一部に折り畳む、及び従って、第１の支持シート（１６）に接着することを可能にする吸収性構造体よりも幅が広くてもよい。これは、例えば図６、図７及び図８に示される。
【００６６】
吸収性コア（７）が、本明細書に記載されるチャネル（２６、２６’）を含む２つの（又はより多い）吸収性構造体（１３、１３’）を含む実施形態では、１つの吸収性構造体（１３）のチャネル（２６）の１つ又は２つ、若しくはより多く又は全てが、隣接する吸収性構造体（１３’）のチャネル（２６’）と実質的に重なっていることがあってもよい。生成された吸収性コア（７）は、次いで、チャネル（２６、２６’）を有する吸収性構造体（１３’、１３’）の積層であり、チャネル（２６、２６’）は、実質的に吸収性層の厚さ（１７、１７’）に延在する。これは、例えば図１２に示される。
【００６７】
追加的に又は代替的に、一吸収性構造体（１３）のチャネル（２６）のうちの１つ又は２つ、若しくはより多く又は全ては、隣接する吸収性構造体（１３’）のチャネル（２６’）と重複しなくてもよく、これらは、例えば隣接する構造のチャネル（２６）と補完的であってもよい。補完的とは、第２の吸収性構造体（１３’）のチャネル（２６’）が第１の吸収性構造体（１３）のチャネル（２６）の延伸を形成することを意味する。
【００６８】
いくつかの実施形態では、吸収性コア（７）は２つ以上の吸収性構造体（１３）を含んでもよく、これらのうちの１つは本開示の構造であり、１つは、チャネルなし及び／又は接着剤なしのその上に（超吸収性ポリマー材料を有する）吸収性層（１７’）を有する支持シート（１６’）を有する吸収性構造体（１３）である。
【００６９】
第２の吸収性構造体（１３’）が吸収性コア（７）内に存在する場合、これは、上記の方法の、及び上記の理由により、１つ以上の接着剤を含んでもよい。
【００７０】
例えば、これは、少なくとも第１の吸収性構造体（１３）のチャネル（２６）と一致し、及び／又は存在する場合、そのチャネル（２６’）を有するように存在し得る。
【００７１】
吸収性材料（５０）
吸収性層（１７）は、任意でセルロース材料（例えばセルロース、繊維の形態の破砕木材パルプを含む）と組み合わせられる、超吸収性ポリマー材料（例えば粒子）を含む吸収性材料（５０）を含む。上記の更なる材料（例えば更なる第２の吸収性構造体（１３’）は、吸収性材料を含んでもよく、以下の記載がこれに適用され得る。
【００７２】
いくつかの実施形態では、吸収性材料（５０）は、超吸収性ポリマー材料の少なくとも６０重量％、少なくとも７０重量％、及びセルロース材料の最大で４０％又は最大で３０％を含んでもよい。
【００７３】
いくつかの他の実施形態では、吸収性層（１７）は、実質的に吸収性ポリマー材料、例えば、存在する場合、セルロース材料の（吸収性材料（５０）の）例えば５重量％未満の粒子からなる吸収性材料（５０）を含んでおり、前記吸収性層（１７）／吸収性構造体（１３）はセルロース材料を包含しなくてもよい。
【００７４】
典型的には、超吸収性ポリマー材料は粒子の形態である。吸収性層（１７）での使用に好適な吸収性ポリマー粒子は、例えばＭｏｄｅｒｎ  Ｓｕｐｅｒａｂｓｏｒｂｅｎｔ  Ｐｏｌｙｍｅｒ  Ｔｅｃｈｎｏｌｏｇｙ，Ｆ．Ｌ．Ｂｕｃｈｈｏｌｚ，Ａ．Ｔ．Ｇｒａｈａｍ，Ｗｉｌｅｙ  １９９８等に記載される超吸収体文献により公知の任意の吸収性ポリマー粒子を含むことができる。吸収性ポリマー粒子は、球形、球状、又は不規則な成形粒子、例えば、ウインナソーセージ型成形粒子、又は典型的には逆相懸濁重合から得られるような楕円形の成形粒子などであってもよい。粒子は、より大きな不規則な粒子を形成するために、必要に応じて少なくともある程度まで凝集させることもできる。
【００７５】
本明細書のいくつかの実施形態において、全体としての吸収性材料（５０）及び／又は前記粒子超吸収性ポリマー材料は、少なくとも、例えば少なくとも２０ｇ／ｇ、又は３０ｇ／ｇのＣＲＣを有する等、高い吸収容量を有する。上限は、例えば最大で１５０ｇ／ｇ、又は最大で１００ｇ／ｇであってもよい。
【００７６】
本明細書のいくつかの実施形態において、吸収性材料（５０）は、例えばナトリウム対イオンについて有する６０％〜９０％又は約７５％の中和度を有する、ポリアクリル酸ポリマー／ポリアクリル酸ポリマーから形成される超吸収性ポリマー粒子を含む、又はこれからなる。
【００７７】
超吸収性ポリマーは、内部及び／又は表面架橋されたポリアクリル酸塩及びポリアクリル酸ポリマーであってもよい。好適な材料が、国際特許出願公開第０７／０４７５９８号、又は例えば国際特許出願公開第０７／０４６０５２号、例えば国際出願公開第２００９／１５５２６５号、及び国際出願公開第２００９／１５５２６４号に説明される。いくつかの実施形態では、好適な超吸収性ポリマー粒子は、国際出願公開第２００６／０８３５８４号に更に具体的に記載されるように、当該技術の製造工程の現在の状態によって得られてもよい。超吸収性ポリマー粒子は、内部で架橋されてもよく、すなわち、重合は、ポリマー網状組織へとフリーラジカル的に共重合され得る、２つ以上の重合可能な基を有する化合物の存在下において行なわれる。有用な架橋剤としては、例えば、エチレングリコールジメタクリレート、ジエチレングリコールジアクリレート、アリルメタクリレート、トリメチロールプロパントリアクリレート、トリアリルアミン、欧州特許出願第Ａ  ５３０  ４３８号に記載されるテトラアリルオキシエタン、欧州特許出願第Ａ  ５４７  ８４７号、欧州特許出願第Ａ  ５５９  ４７６号、欧州特許出願第Ａ  ６３２  ０６８号、国際特許出願公開第９３／２１２３７号、国際特許出願公開第０３／１０４２９９号、国際特許出願公開第０３／１０４３００号、国際特許出願公開第０３／１０４３０１号、及び独国特許出願第Ａ  １０３  ３１  ４５０号に記載されるジ−及びトリアクリレート類、独国特許出願第Ａ  １０３  ３１  ４５６号、及び独国特許出願第Ａ  １０３  ５５  ４０１号に記載されるような、アクリレート基とエチレン性不飽和基とを更に含む混合アクリレート類、又は例えば独国特許出願第Ａ  １９５  ４３  ３６８号、独国特許出願第Ａ  １９６  ４６  ４８４号、国際特許出願公開第９０／１５８３０号、及び国際特許出願公開第０２／３２９６２号に記載されるような架橋剤混合物、及び国際特許出願公開第２００９／１５５２６５号に記載される架橋剤が挙げられる。超吸収性ポリマー粒子は、外部に表面架橋されてもよい、又はポスト架橋されてもよい）。有用な後架橋剤としては、ポリマーのカルボキシレート基と共有結合を形成可能な２つ以上の基を含む化合物が挙げられる。有用な化合物としては、例えば欧州特許出願第Ａ  ０８３  ０２２号、欧州特許出願第Ａ  ５４３  ３０３号及び欧州特許出願第Ａ  ９３７  ７３６号に記載されるアルコキシシリル化合物、ポリアジリジン、ポリアミン、ポリアミドアミン、ジ−又はポリグリシジル化合物、独国特許出願第Ｃ  ３３  １４  ０１９号に記載される多価アルコール類、独国特許出願Ａ  ４０  ２０  ７８０号に記載される環状炭酸塩、独国特許出願第Ａ  １９８  ０７  ５０２号に記載されるＮ−（２−ヒドロキシエチル）−２−オキサゾリドン等の２−オキサゾリドン及びそれの誘導体、独国特許出願Ａ  １９８  ０７  ９９２号に記載されるビス−及びポリ−２−オキサゾリドン、独国特許出願Ａ  １９８  ５４  ５７３号に記載される２−オキソテトラヒドロ−１，３−オキサジン及びそれの誘導体、独国特許出願Ａ  １９８  ５４  ５７４号に記載されるＮ−アシル−２−オキサゾリドン、独国特許出願Ａ  １０２  ０４  ９３７号に記��される環状ウレアーゼ、独国特許出願Ａ  １０３  ３４  ５８４号に記載される二環式アミドアセタール、欧州特許出願第Ａ  １  １９９  ３２７号に記載されるオキセタン及び環状ウレアーゼ、並びに国際特許出願公開第０３／０３１４８２号に記載されるモルホリン−２，３−ジオン及びそれの誘導体を含む。
【００７８】
超吸収性ポリマー又は粒子は、コーティング剤でコーティングされる又は部分的にコーティングされる等の表面修飾を有してもよい。コーティングされた吸収性ポリマー粒子の例は国際特許出願公開第２００９／１５５２６５に開示されている。コーティング剤は、吸収性ポリマー粒子をより親水性にするようなものであってもよい。例えば、これは、アエロジル等の親水性（すなわちヒュームド）シリカであってもよい。コーティング剤は、粒子上にエラストマーの（弾性の）膜コーティングを形成する弾性ポリマー、又は膜形成ポリマー、又は弾性膜形成ポリマーなどのポリマーであってもよい。コーティングは、吸収性ポリマー粒子の表面上の均質な及び／又は均一なコーティングであってもよい。コーティング剤は、０．１％〜５％のレベルで塗布されてもよい。
【００７９】
超吸収性ポリマー粒子は、４５μｍ〜４０００μｍの範囲の粒径、特に、４５μｍ〜約２０００μｍ、約１００μｍ〜約１０００μｍ、又は〜約８５０μｍの範囲の粒径分布を有し得る。粒子状の材料の粒径分布は、当該技術分野において既知のように、例えば乾式篩分け分析試験（ＥＤＡＮＡ  ４２０．０２「Ｐａｒｔｉｃｌｅ  Ｓｉｚｅ  ｄｉｓｔｒｉｂｕｔｉｏｎ」）によって決定され得る。
【００８０】
本明細書のいくつかの実施形態において、超吸収性材料は、例えば、例えば欧州特許第Ａ−０６９１１３３号に記載されている方法で測定できるように、最大で２ｍｍ、５０ミクロン〜２ｍｍ又は１ｍｍ、１００、２００、３００、４００又は５００μｍ、若しくは〜１０００、〜８００、又は〜７００μｍの中間質量粒径の粒子の形態である。本開示のいくつかの実施形態では、超吸収性ポリマー材料は、粒子の形態であり、少なくとも８０重量％は、５０μｍ〜１２００μｍのサイズであり、上記の任意の範囲の組み合わせの間の質量中央粒径を有する粒子である。さらに、又は本開示の別の実施形態では、前記粒子は本質的に球状である。本発明の更に別のまたは更なる実施形態において、超吸収性ポリマー材料は、比較的狭い範囲の粒径を有し、例えば粒子の大多数（例えば少なくとも８０重量％、少なくとも９０重量％、または更には少なくとも９５重量％）は、５０μｍ〜１０００μｍ、１００μｍ〜８００μｍ、２００μｍ〜６００μｍの粒径を有する。
【００８１】
支持シート（１６；１６’）
本明細書の吸収性構造体（１３）は、前記吸収性材料（５０）が支持及び固定化される支持シート（１６）を含む。更なる材料は、支持シート（１６’）であってもよい、又はこれを含んでもよい、及び以下が更に、かかるシート（１６’）に適用される。
【００８２】
この支持シート（１６）は、個別吸収性構造体（１３）、特に紙、フィルム、織布又は不織布、又はこれらのいずれかの積層に以降分割される個別シート又はウェブ材料であってもよい。
【００８３】
本明細書のいくつかの実施形態では、支持シート（１６）は、例えばカード不織布、スパンボンド不織布又はメルトダウン不織布等の不織布ウェブであり、これらのうちのいずれかの不織布積層を含む不織布である。
【００８４】
繊維は、天然由来のものであっても人工由来のものであってもよく、ステープル繊維若しくは連続フィラメントであっても、又はその場で形成されたものであってもよい。市販の繊維は、通常、約０．００１ｍｍ未満〜約０．２ｍｍ超の範囲の直径を有し、幾つかの異なる形態、つまり、短繊維（ステープル繊維又は細断繊維として知られる）、連続単繊維（フィラメント又はモノフィラメント）、連続フィラメントの撚っていない束（トウ）、及び連続フィラメントの撚り束（編み糸）で提供される。繊維は、例えば異なるポリマーがシースとコアとを形成する、例えばシース／コアの構成を有する複合繊維であってもよい。不織布繊維は、メルトブロー法、スパンボンド法、溶剤紡糸法、静電紡糸法、及びカード法等、多くのプロセスによって形成することができる。不織布繊維の坪量は、通常、一平方メートル当たりのグラム（ｇｓｍ）で表される。
【００８５】
本明細書の不織布は、親水性繊維で作製されてもよく、「親水性」とは、これらの繊維上に堆積される房水（例えば水性の体液）によって湿潤可能な、繊維又は繊維表面のことである。親水性及び湿潤性は、典型的には、接触角度及び例えば不織布布地を通過する流体のストライクスルー時間に関して定義される。これは、「Ｃｏｎｔａｃｔ  ａｎｇｌｅ，ｗｅｔｔａｂｉｌｉｔｙ  ａｎｄ  ａｄｈｅｓｉｏｎ」という題名の、アメリカ化学会（Ａｍｅｒｉｃａｎ  Ｃｈｅｍｉｃａｌ  Ｓｏｃｉｅｔｙ）の出版物、Ｒｏｂｅｒｔ  Ｆ．Ｇｏｕｌｄ（著作権１９６４）編著、に具体的に議論されている。繊維又は繊維表面は、流体と繊維との間の接触角度、又はそれの表面が９０°未満である場合に、流体（すなわち親水性）によって湿潤されるといわれており、若しくは流体が繊維表面において自然に広がりやすい場合に、両方の状態は通常共存している。これとは逆に、繊維又は繊維表面は、接触角度が９０°を超える場合には疎水性であると考えられ、流体は繊維表面において自然に広がらない。
【００８６】
本明細書の支持シート（１６）は空気透過性であってもよい。したがって、本明細書の有用なフィルムは、細孔を含む。例えば、本明細書の不織布は通気性であってもよい。支持シート（１６）は、ＥＤＡＮＡ方法１４０−１−９９（１２５Ｐａ、３８．３ｃｍ２）で決定されるように、例えば４０又は５０から、〜３００又は〜２００ｍ３／（ｍ２×分）の通気性を有してもよい。支持シート（１６）は、あるいは、より低い通気性を有してもよい、例えば真空を含む移動表面上でより良く拘束されるように、例えば非通気性であってもよい。
【００８７】
いくつかの実施において、支持シート（１６）は不織布積層材料であり、例えばＳＭＳ又はＳＭＭＳタイプの不織布積層ウェブである。
【００８８】
前記波形状を容易に形成するために、支持シート（１６）は、６０ｇｓｍ未満、例えば５０ｇｓｍ未満、例えば５ｇｓｍ〜４０ｇｓｍ、又は〜３０ｇｓｍである坪量を有してもよい。
【００８９】
支持シート（１６）は、ＣＤ伸展性又はＭＤ伸展性を有してもよい。
【００９０】
本明細書の実施形態のうちの１つにおいて、支持シート（１６）は、前記第１及び第２のチャネル（２６）内に、及び任意でその一部の前記更なるチャネル内に折り畳まれる（波形状にされる）波形状を有する。例えば波形状は、チャネルの長手方向の全寸法について延在してもよく、これらは、例えば吸収性層（１７）／チャネルの完全な平均の高さ又は例えば最大でその７５％のみ、若しくは吸収性層（１７）／チャネルの平均の高さの最大で５０％まで延在してもよい。これにより、前記チャネル（２６）に隣接する吸収性材料（５０）及び前記層の前記チャネル（２６）の固定化に役立つ。
【００９１】
波形状は、前記１つ以上の接着材料、例えば前記第２の接着材料を、前記チャネル（２６）の前記壁に接着してもよい。支持シート（１６）は、代替的に、又は追加的に、本明細書で上述のように、例えば前記第１及び／又は第２の接着剤により、前記チャネル（２６）内において前記更なる材料、例えば第２の支持シート（１６）に接着されてもよい。
【００９２】
接着材料
吸収性構造体（１３）は、１つ以上の接着材料を含んでもよい。いくつかの実施形態では、これは、上記のように、及び上記の方法で、第１の接着材料及び／又は第２の接着材料を含む。
【００９３】
本明細書の吸収性コアは、１つ以上の接着材料を含んでもよい更なる第２の吸収性構造体（１３’）を含んでもよく、以下がこれに等しく適用される。
【００９４】
これには、任意の好適な接着剤を使用できる。例えば、いわゆるホットメルト接着剤を使用できる。例えば、Ｈ．Ｂ．Ｆｕｌｌｅｒ  Ｃｏ．（Ｓｔ．Ｐａｕｌ，ＭＮ）製造番号ＨＬ−１６２０−Ｂ等の噴霧可能なホットメルト接着剤が使用され得る。
【００９５】
接着材料は、支持シート上の吸収性材料の固定化に役立つのみならず、更に、使い捨て物品の保管中及び／又は使用中の、吸収性コア内の吸収性構造体内のチャネルの完全性の維持に役立ってもよい。接着材料は、大量の吸収性材料がチャネル内に移動することを回避するために役立ってもよい。更に、チャネル内又はチャネルと一致する支持シート部分上に接着材料が設けられた場合、以下に詳述するように、吸収性構造体の支持シートを前記壁、及び／又は更なる材料に接着するために役立ってもよい。
【００９６】
いくつかの実施形態では、第１の接着剤（４０）及び／又は第２の接着（６０）は、熱可塑性接着材料であってもよい。
【００９７】
いくつかの実施形態では、第１の接着剤（４０）は、支持シート上に吸収性材料を固定化させる繊維状網状組織を形成する繊維として塗布されてもよい。熱可塑性接着繊維は、吸収性構造体の支持シートと部分的に接触してもよく、更にチャネル内に設けられた場合、支持シートに吸収性層を（更に）固定させる。
【００９８】
熱可塑性接着剤材料は、例えば、破断を伴わずに、また吸収性ポリマー粒子の膨張を抑制する大きな圧縮力を付与せずに、このような膨張を可能にすることができる。本開示における使用に好適な熱可塑性接着剤材料（４０；６０）は、少なくとも熱可塑性ポリマーを、可塑剤、及び粘着付与樹脂などの他の熱可塑性希釈剤、並びに抗酸化剤などの添加剤と一緒に含むホットメルト接着剤を有する。代表的な好適なホットメルト接着剤（４０、６０）材料は、欧州特許第１４４７０６７  Ａ２号に記載されている。幾つかの実施形態では、熱可塑性ポリマーは、１０，０００を超える分子量（Ｍｗ）、及び室温未満又は−６℃＞Ｔｇ＜１６℃のガラス転移温度（Ｔｇ）を有する。特定の実施形態では、ホットメルト中のポリマーの濃度は、約２０〜約４０重量％の範囲である。特定の実施形態では、熱可塑性ポリマーは水の影響を受けないものでよい。例示的なポリマーは、Ａ−Ｂ−Ａ三元ブロック構造、Ａ−Ｂ二元ブロック構造、及び（Ａ−Ｂ）ｎ放射状ブロックコポリマー構造を含む（スチレン）ブロックコポリマーであり、ただしＡブロックは、一般的にポリスチレンからなる非エラストマーポリマーブロックであり、Ｂブロックは不飽和共役ジエン又はその（部分）水素添加物である。Ｂブロックは典型的には、イソプレン、ブタジエン、エチレン／ブチレン（水素添加ブタジエン）、エチレン／プロピレン（水素添加イソプレン）、及びこれらの混合物である。
【００９９】
使用してもよい他の好適な熱可塑性ポリマーは、メタロセンポリオレフィンであり、これは、単一サイト又はメタロセン触媒を使用して調製されるエチレンポリマーである。その場合、少なくとも１種類のコモノマーをエチレンと重合して、コポリマー、ターポリマー、又はより高次のポリマーを調製することができる。やはり使用可能なものとして、非晶質ポリオレフィン、又はＣ２〜Ｃ８のαオレフィンのホモポリマー、コポリマー又はターポリマーである非晶質ポリアルファオレフィン（ＡＰＡＯ）がある。
【０１００】
典型的にはホットメルト接着剤材料である熱可塑性接着剤材料は、一般に繊維の形態で存在する、すなわち、ホットメルト接着剤は繊維に分解されることができる。幾つかの実施形態では、熱可塑性接着剤材料は、吸収性ポリマー粒子上に繊維性網状組織を形成する。典型的には、繊維は、約１μｍ〜約１００μｍ、又は約２５μｍ〜約７５μｍの平均厚さ、及び約５ｍｍ〜約５０ｃｍの平均長さを有することができる。特に、ホットメルト接着剤材料の層は、網目状構造を含むように用意され得る。特定の実施形態において、熱可塑性接着剤組成物は、支持シート（１６）あたり、０．５〜３０ｇ／ｍ２、１〜１５ｇ／ｍ２、１及び１０ｇ／ｍ２又は更に１．５〜５ｇ／ｍ２の量で塗布されてもよい。
【０１０１】
本開示における利用に好適な接着剤の典型的なパラメータは、１の値未満の６０℃で、又は０．５の値未満の損失角ｔａｎ  δにすることができる。６０℃での損失角ｔａｎ  δは、高い室温での接着剤の液体特性と関連がある。ｔａｎ  δが低くなればなるほど、接着剤は液体よりも固体のような特性を示し、すなわち流れ又は移動する傾向がより低下し、本明細書に記載の接着剤超格子構造が劣化し又は更に経時的に崩懐する傾向は低くなる。この値は、したがって、吸収性物品が暑い気候で使用される場合、特に重要であり得る。
【０１０２】
例えば方法上の理由及び／又は性能上の理由から、熱可塑性接着剤材料は、ＡＳＴＭ  Ｄ３２３６−８８により、２７．２０ｒｐｍのスピンドル、１７５℃で２０分の予備加熱、及び１０分間の攪拌を用いて測定可能な、１７５℃で、８００〜４０００ｍＰａ・ｓ、又は１０００ｍＰａ・ｓ又は１２００ｍＰａ・ｓ又は１６００ｍＰａ・ｓ〜３２００ｍＰａ・ｓ又は３０００ｍＰａ・ｓ又は２８００ｍＰａ・ｓ又は２５００ｍＰａ・ｓの粘度を有するのが有益であり得る。
【０１０３】
熱可塑性接着剤材料は、ＡＳＴＭ  Ｅ２８−９９（Ｈｅｒｚｏｇ法、グリセリン使用）で測定可能な、６０℃〜１５０℃、又は７５℃〜１３５℃、又は９０℃〜１３０℃、又は１００℃〜１１５℃の軟化点を有してよい。
【０１０４】
本明細書の一実施形態において、熱可塑性接着剤成分は、ＡＳＴＭ  Ｄ  ５７２５−９９で測定可能な、９０℃未満、８０℃未満、７５℃未満、又は７０℃未満の接触角を有する親水性であってもよい。
【０１０５】
シグナル
本発明の吸収性物品は、吸収性コアチャネルの機能性及び利点を消費者に伝達するシグナルを有していてもよい。このようなシグナルの非限定的な例としては、印刷された接着剤層、バックシートのグラフィック、トップシート及び／又は捕捉層のエンボス加工、並びにその組み合わせが挙げられる。
【０１０６】
チャネルの存在及び利点を伝達するのに使用できるシグナルの一種は印刷された接着剤層である。いくつかの実施形態では、コアにチャネルを有する物品は、チャネルの吸収性及びその他の利点を含蓄するパターンで塗布される接着剤の層を有していてもよい。接着剤層は、支持層、いくつかの実施形態では捕捉層など、トップシートとチャネルを有する吸収性コアとの間に配置された基板に塗布されてもよい。いくつかの実施形態では、印刷された接着剤の層はトップシートの上から透けて見えてもよい。
【０１０７】
いくつかの実施形態では、接着剤などの液体が、進んでくる基板上に塗布されるか印刷されてもよい。液体塗布装置は、スロットダイ塗布器及び基板キャリアを含んでいてもよい。スロットダイ塗布器は、スロット開口と、第１リップと、第２リップとを含んでいてもよく、スロット開口は第１リップと第２リップとの間に位置する。そして、基板キャリアは１つ以上のパターン要素を含んでいてもよく、スロットダイ塗布器が基板接着剤を放出するときに基板をスロットダイ塗布器の前を通って進むように適合されてもよい。動作中、基板の第１の表面が基板キャリアに配置されると、基板キャリアは基板の第２の表面をスロットダイ塗布器のスロット開口の前を通るように進めさせる。順に、基板は逐次、スロットダイ塗布器とパターン要素のパターン表面との間で圧縮される。基板が逐次圧縮されると、スロットダイ塗布器から排出される接着剤は、パターン表面と実質的に同じ形状を有する領域において進んでくる基板の第２の表面に塗布される。いくつかの実施形態では、接着剤は基板とは異なる色であってもよい。接着剤は顔料又は染料を含んでいてもよい。進んでくる基板に対して所定のパターンで接着剤を塗布することに関係するその他の方法及び装置は、米国特許第８，１８６，２９６号に開示されている。いくつかの実施形態では、基板に印刷されている流体は、接着剤を含まないインクであってもよい。
【０１０８】
本明細書で使用するとき、用語「模様」とは、必ずしも反復又は模倣的ではない、装飾的な、又は特徴的なデザインを意味し、これには、大理石模様、格子縞模様、斑状、脈状、クラスター状、幾何学模様、点状、旋回状、渦巻き状、配列型、斑入り状、織り目加工型、らせん状、周期的、起伏、レース状、モザイク模様、スターバースト型、浅裂、稲妻、ブロック、非平坦、ひだ状、カップ状、凹状、凸状、網状、テーパ形状、及びこれらの組み合わせが挙げられるが、これらに限定されない。印刷された接着剤層のパターンの例は、図１７Ａ、図１７Ｂ、図１７Ｃ、及び図１８に示されている。図１７Ａ〜図１７Ｃでは印刷された接着剤層の曲線、及び図１８では印刷された接着剤層のパターンによって、チャネルの１つ以上の利点を消費者に示してもよい。例えば、チャネルは、液体をより快適な場所に分配するための導管として作用してもよく、トップシートから透けて介護者が見ることができる印刷された接着剤層は、物品が提供できる流体分配及び快適さを示す又は伝達してもよい。
【０１０９】
上に記載するように、本発明の吸収性構造体は典型的に、吸収性層を被覆するために、さらなる材料層などの１つ以上のさらなる材料を含む。この層は接着剤を、例えば吸収性構造体の吸収性層と接触する表面上に有していてもよい。こうして、更なる材料は、吸収性構造体の前記吸収性層に隣接して配置される表面上に、接着材料を有していてもよい。いくつかの実施形態では、さらなる材料層は、その上に接着剤が印刷されてパターン化された外観を形成する捕捉材料層でもよい。こうして、吸収性コアに隣接する捕捉層の表面に接着剤が印刷される。チャネルを有する吸収性コアと、吸収性コアに隣接する捕捉層の表面に印刷される印刷された接着剤層に加えて、物品はさらにトップシートを含んでもよく、印刷された接着剤層はトップシートから透けて見える。いくつかの実施形態では、印刷（インク又はインクを有する接着剤）はトップシート自体の上にあってもよく、印刷される物質がインクである場合、印刷はデジタル印刷を用いて行われてもよい。
【０１１０】
いくつかの実施形態では、吸収性物品は、バックシートに印刷されたグラフィックを含んでいてもよい。吸収性コアに液体が与えられると、吸収性材料は特にバックシートに向かって膨張し、吸収性材料を含まないチャネルは膨張しない。流体が吸収されると、凹部が形成され得るためにバックシートを通してよりチャネルが知覚可能となるため、この差を利用してもよい。これらの凹部は、吸収性物品が液体を吸収するとより明白になる。
【０１１１】
これらのチャネルによってバックシート側に形成される凹部の深さは吸収された液体の量と比例し、発明者らは、介護者に対する視覚的外観を、介護者に対してチャネルの領域と一致するか少なくともその領域を示すバックシート印刷を提供することで改善され得ることを発見した。よって、バックシート印刷は、チャネルの形状及び／又は位置と実質的に一致する線若しくは曲線を含んでいてもよい。
【０１１２】
例えば、図１５及び図１６に示すバックシートのグラフィックは、チャネルの属性を介護者に示してもよい。いくつかの実施形態では、チャネルの唯一の可視シグナルはバックシート印刷であってもよい。いくつかの実施形態では、バックシート印刷は、曲線、線、又はチャネルの形状及び起伏に近似するその他のパターンであってもよい。いくつかの実施形態では、物品は印刷された接着剤層とバックシートのグラフィックとの両方を含んでいてもよく、その組み合わせは特定のチャネルの様相を強調させるのに合わせて又は別々に作用する。
【０１１３】
図１９に示すように、チャネルの形状及び起伏に近似するバックシートのグラフィックは、吸収性物品の吸収性コア領域内に、その領域を越えることなくはまるように構成されていてもよく、これにより、介護者にチャネルの利点をより明確に伝達することができる。下にあるチャネルの形状及び起伏に近似するグラフィックを含む例示的なバックシートが図示される。機械方向におけるバックシートの長さＡ’は、例えば、４７８ｍｍであってもよく、横方向における幅Ｐ’は１９６ｍｍであってもよい。バックシートの機械方向における中心線は線Ｃ’で示されており、よって半分長Ｂ’は２３９ｍｍである。内側チャネルを可視的に示すグラフィック間の距離は、中心線Ｃ’に沿って得られる、線Ｄ’と線Ｅ’との間の距離Ｆ’として示される。距離Ｆ’は２２ｍｍであってもよい。外側チャネルを可視的に示すグラフィック間の距離は、線Ｊ’に沿って得られる、線Ｇ’及びＨ’との間の距離Ｉ’として示される。距離Ｉ’は３７．５ｍｍであってもよい。線Ｊ’及びＫ’は中心線Ｃ’と平行に描かれており、内側チャネルを可視的に示すグラフィックの終点に沿って得られる。なお、終点とは、中心線Ｃ’から始まってグラフィックが終わる点を示す。機械方向における、これらの終点との間の距離は、線Ｌ’で示される。この距離は１９８ｍｍであってもよい。線Ｍ’及びＮ’は中心線Ｃ’と平行に描かれており、外側チャネルを可視的に示すグラフィックの終点に沿って得られる。なお、終点とは中心線Ｃ’から始まってグラフィックが終わる点を示す。機械方向における、これらの終点との間の距離は、線Ｏ’で示されている。この距離は１５８ｍｍであってもよい。線Ｃ’に沿って得られる、内側チャネルを可視的に示すグラフィックと外側チャネルを可視的に示すグラフィックとの間の距離は、６ｍｍであってもよい。好ましい実施形態では、Ａ’＝４７８、Ｐ’＝２０６、Ｌ’＝２０５、Ｏ’＝１６５、Ｉ’＝４３、及びＦ’＝２２であり、全ての長さはｍｍで与えられている。
【０１１４】
上記のいかなる線の相対的な長さは比率で表されてもよく、単独又はその他の長さの比率と組み合わせて、ちょうど、又はプラス若しくはマイナス２％、３％、４％、５％、７％、あるいは１０％の許容誤差を有して表されてもよく、許容誤差率が適用された後に長さは最も近い整数又は５の倍数に四捨五入されてもよい。
【０１１５】
出願者らは、チャネルの１つ以上の利点を示すのに特に重要な比率は以下のものであることを発見した：（ａ）Ｌ’に対するＡ’、（ｂ）Ｌ’に対するＢ’、及び（ｃ）Ｆ’に対するＰ’。いくつかの実施形態では、Ｌ’に対するＡ’の比率は２．２〜２．７の範囲内であり、好ましくは２．３〜２．５、より好ましくは２．４である。いくつかの実施形態では、Ｌ’に対するＢ’の比率は１．０〜１．４の範囲内であり、好ましくは１．１〜１．３、より好ましくは１．２である。いくつかの実施形態では、Ｆ’に対するＰ’の比率は８．０〜９．８の範囲内であり、好ましくは８．５〜９．４、より好ましくは８．９である。
【０１１６】
さらに、いくつかの実施形態では、内側チャネルを可視的に示すグラフィックは外側チャネル自体の領域及び／又は吸収性コアが存在する領域を越えて延伸することはなく、いくつかの実施形態では、外側チャネルを可視的に示すグラフィックは外側チャネル自体の領域及び／又は吸収性コアが存在する領域を越えて延伸することはなく、いくつかの実施形態では、内側及び外側チャネルを可視的に示すグラフィックは内側及び外側チャネル自体の領域及び／又は吸収性コアが存在する領域を越えて延伸することはない。
【０１１７】
さらに、物品は、吸収性コアチャネルに示すその他の又は追加の視覚的手がかり、例えば、エンボス加工を含んでいてもよい。エンボス加工はトップシート又は吸収性コア上に行われてもよく、いくつかの実施形態では、トップシートと吸収性コアとの両方の多層エンボス加工が行われてもよい。例えば、熱エンボス加工を、視覚的な存在を向上させる小さな隙間設定にて、チャネルの上（超吸収性ポリマーがないところ）で行われてもよい。いかなるエンボス加工は、吸収性コアチャネルを示すことを助けるべく、単独又は印刷と組み合わせて行ってもよい。さらに、いかなるエンボス加工は、トップシート、コア、又は両方に、オンラインで（吸収性物品の構成要素部分の組立て中に）又はそのような組立ての前に、例えば構成要素部分の供給者が自身で構成要素部分を製造する工場などで行われてもよい。
【０１１８】
いくつかの実施形態では、印刷された接着剤層又はバックシート印刷は、吸収性コアの大半又はその全体を被覆するパターンであってもよい。その他の実施形態では、印刷された接着剤層又はバックシート印刷は個別の領域のみに印刷されていてもよい。例えば、いくつかの実施形態では、印刷された接着剤層又はバックシート印刷は、吸収性コアチャネルと重なる又は交差しないように印刷されていてもよい。本明細書で使用するとき、用語「重なる」とは、一部を覆う、又は共通の領域を有することを意味する。本明細書で使用するとき、用語「交差する」とは、互いに横断、若しくは交差する、又は狭まって融合する、アイテムを意味する。
【０１１９】
吸収性物品構成要素（グラフィック吸収性物品構成要素を含む）が、他の吸収性物品構成要素に取り付けられるときに適切に配置されていることを確実にするために、位置合わせ（registration）を使用することが可能である。位置合わせは、装置を使用し、吸収性物品構成要素上の位置を検出し、位置を設定点（これは、所望の作用素（operator）又は機械設定点であってよい）に対して比較する工程を含むことが可能である。装置は、この比較に従って吸収性物品構成要素の配置を調整することは可能である。例えば、吸収性コアチャネル及び印刷された接着剤層の位置を検出して、印刷された接着剤層の繰り返し長さを、長さ制御システムを介して変動させてもよい（米国特許第６，４４４，０６４号及び第６，９５５，７３３号に記載）。あるいは、装置は、吸収性物品上の所望の位置に関して、構成要素の長手方向、又は機械方向の位置を検出、若しくは制御するために使用することが可能で、第１構成要素の次の発生が第２構成要素に取り付けられる位置は、第１構成要素が所望の位置にあることを確実にするために変更される。これは、複数検出、及び平均的位置、所望の位置からの偏位の使用に基づいて、又は全発生よりも低い頻度の検出によって実行することが可能である。さらに、システムは、第１の吸収性物品構成要素の第１の位置及び第２の吸収性物品構成要素の第２の位置を検出してもよく、第１及び第２の位置は互いに対して、及びセットポイント又は所望のオフセット位置に対して比較してもよい。装置は、この比較に従って、第１及び／又は第２吸収性物品構成要素の配置を調整することが可能である。検出方法の組み合わせを用いてもよい。いくつかの実施形態では、印刷及び吸収性コアチャネルの視覚的印象を最適化するために、位置合わせを用いてもよい。
【０１２０】
いくつかの実施形態では、印刷された接着剤層、バックシートのグラフィック、又は何らかの組み合わせの任意の印刷は、吸収性コアチャネルの形状又は起伏に一致するか実質的に一致してもよい。いくつかの実施形態では、印刷は必ずしも吸収性コアチャネルの形又は起伏と一致又は相関しないが、他の状態でチャネルの存在及び／又は利点を消費者に伝達するか示す。
【０１２１】
吸収性物品、例えばおむつ
本明細書の吸収性構造体（１３）又は吸収性コア（７）は、上記等の吸収性物品、及び特に締結可能おむつ（１）及び乳幼児用又は成人用の（再締着可能）トレーニングパンツを含むおむつ（１）、若しくは生理用ナプキン又は成人失禁下着パッド等の吸収性パッドにおいて有用であってもよい。
【０１２２】
物品は、本明細書に記載される吸収性構造体（１３）又は吸収性コア（７）に加えて、トップシート及びバックシート、並びに例えば１つ以上の側部フラップ又はカフを含んでもよい。トップシート、カフ、又は側部フラップは、米国特許第５，６０７，７６０号、米国特許第５，６０９，５８７号、米国特許第５，６３５，１９１号、米国特許第５，６４３，５８８号に記載されるものを含む、当該技術において周知のスキンケア組成物又はローション又はパウダー、パネルを含んでもよい。
【０１２３】
本明細書の物品は、例えば不織布シートのような使用時に着用者に面するトップシート、及び／又は、当該技術分野では既知の孔あき成型フィルムを含む孔あきシート、及びバックシートを含む。
【０１２４】
バックシートは、当該技術において周知のように、液体透過性であってもよい。幾つかの実施形態では、液体不透過性のバックシートは、約０．０１ｍｍ〜約０．０５ｍｍの厚さを有する、熱可塑性フィルムのような薄いプラスチックフィルムを含む。適したバックシート材料は、典型的には、排泄物がバックシートを通過しないようにする一方で、おむつ（１）から蒸気を逃がすようにする通気性材料を含む。好適なバックシートフィルムとしては、インディアナ州テレホート所在のＴｒｅｄｅｇａｒ  Ｉｎｄｕｓｔｒｉｅｓ  Ｉｎｃ．の製造する、Ｘ１５３０６、Ｘ１０９６２、及びＸ１０９６４の商品名で販売されるものが挙げられる。
【０１２５】
バックシート、又はそのいずれかの部分は、１つ以上の方向に弾性的に伸長可能であってもよい。バックシートは、当該技術においていずれかの取り付け手段によっておむつ（１）のトップシート、吸収性構造体／コア、又は他のいずれかの要素に取り付け又は結合されてもよい。
【０１２６】
本明細書のおむつは、レッグカフ及び／又はバリアカフを含んでもよく、次いで物品は、典型的には一対の対向する側部フラップ及び／又はレッグ及び／又はバリアカフを有しており、一対のうちのそれぞれは、吸収性構造体／コアの１つの長手方向の側に隣接して配置され、前記構造／コアに沿って長手方向に延在しており、典型的には、物品の長手方向軸で互いに鏡像となっており、レッグカフ及びバリアカフが存在する場合、各レッグカフは、典型的にはバリアカフから外向きに配置される。物品の長さの少なくとも７０％に沿って長手方向にカフが延在してもよい。カフは、物品のＸＹ平面（長手方向／横方向の方向）から、すなわちＺ方向に配置することができる長手方向の自由端を有してもよい。この一対の側部フラップ又はカフは、物品の長手方向の軸で互いに鏡像であってもよい。カフは、弾性材料を含んでもよい。
【０１２７】
本明細書のおむつは、ウエストバンド、又は例えば、弾性材料を含んでもよい前方ウエストバンド及び後方ウエストバンドを含んでもよい。
【０１２８】
おむつ（１）は、側部パネル、又はいわゆる耳パネルを含んでもよい。おむつ（１）は、前方及び後方、例えば前方及び後方ウエストバンドを締結するための締結手段を含んでもよい。締結装置は、締結タブが、おむつの（１）後方区域に取り付けられ又は接合され、ランディング領域が、おむつ（１）の前方区域の一部分である、締結タブ及びランディング領域を含んでいてもよい。
【０１２９】
吸収性構造体（１３）は、吸収性コア（７）と組み合わせられてもよい、おむつ（１）は、捕捉層（１２）及び／又は捕捉材料層（７０）を含んでもよい、又はその装置は、化学的に架橋されたセルロース繊維を含んでもよい。このような架橋されたセルロース繊維は、所望の吸収特性を有し得る。代表的な化学的に架橋されたセルロース繊維については、米国特許第５，１３７，５３７号に開示されている。特定の実施形態では、化学的に架橋されたセルロース繊維は、グルコース単位に基づいて約０．５ｍｏｌ％〜約１０．０ｍｏｌ％のＣ２〜Ｃ９ポリカルボン酸架橋剤、又は約１．５ｍｏｌ％〜約６．０ｍｏｌ％のＣ２〜Ｃ９ポリカルボン酸架橋剤により架橋される。クエン酸は代表的な架橋剤の１つである。他の実施形態では、ポリアクリル酸を使用することもできる。更に、特定の実施形態によれば、架橋されたセルロース繊維は約２５〜約６０、又は約２８〜約５０、又は約３０〜約４５の保水値を有する。保水値を求めるための方法については、米国特許第５，１３７，５３７号に開示されている。特定の実施形態によれば、架橋されたセルロース繊維は、捲縮、撚糸、若しくはカールさせるか、又は捲縮、撚糸、及びカールさせることをを含むこれらの組み合わせを行うことができる。
【０１３０】
ある実施形態では、上部捕捉層及び下部捕捉層の一方又は両方は、不織布を含んでもよく、不織布は親水性であってもよい。更に、ある実施形態によると、上部捕捉層及び下部捕捉層の一方又は両方は、化学的に架橋されたセルロース繊維を含んでもよく、これらセルロース繊維は不織布材料の一部を形成しても形成しなくてもよい。代表的な実施形態によると、上部捕捉層は、架橋されたセルロース繊維を有さない不織布を含んでもよく、下部捕捉層は、化学的に架橋されたセルロース繊維を含んでもよい。更に、一実施形態によると、下部捕捉層は、天然又は合成高分子繊維などの他の繊維と混合された、化学的に架橋されたセルロース繊維を含んでもよい。代表的な実施形態によれば、このような他の天然又は合成ポリマー繊維としては、表面積の大きな繊維、熱可塑性結合繊維、ポリエチレン繊維、ポリプロピレン繊維、ＰＥＴ繊維、レーヨン繊維、リオセル繊維、及びこれらの混合物を挙げることができる。上部及び下部捕捉層に好適な不織布材料にはスパンボンド、メルトブロー及び更なるスパンボンド層を含むＳＭＳ材料が挙げられるが、限定ではない。特定の実施形態では、永久的に親水性の不織布、特に耐久的に親水性のコーティングを含んだ不織布が望ましい。別の好適な実施形態は、ＳＭＭＳ構造を含む。特定の実施形態では、不織布は多孔質である。
【０１３１】
おむつ（１）は、身体排泄物を受容及び配分及び／又は固定化することができる、トップシートと吸収性構造体（１３）／吸収性コア（７）との間に配置されるサブ層を含んでもよい。適したサブ層は、当該技術において周知のように、捕捉層、サージ層及び又は糞便物質格納層を含む。副層として使用するのに好適な材料としては、大径気泡連続発泡体、マクロ孔質耐圧縮性不織布嵩高品、連続及び独立気泡発泡体の大粒子成形物（マクロ及び／又はミクロ孔質）、嵩高不織布、ポリオレフィン、ポリスチレン、ポリウレタン発泡体若しくは粒子、多数の垂直配向の、ループ状繊維ストランドを含む構造、又は生殖器カバーシートに関して上述したような孔あき成形フィルムを含んでもよい。（本明細書で使用するとき、「マイクロ孔質」という用語は、毛管現象によって流体を移動させることができるが、５０ミクロンを超える平均孔径を有する材料を指す。「マクロ孔質」という用語は、流体の毛管移動を生じさせるには大きする孔を有しており、一般に、直径が約０．５ｍｍ（平均）を超える孔を有しており、より詳細には、直径が約１．０ｍｍ（平均）を超えるが、典型的には１０ｍｍ未満又は更に６ｍｍ（平均）未満である孔を有する材料を指す。
【０１３２】
使い捨て吸収性物品またはおむつ（１）を構築するための工程は、当該技術分野において既知の従来の技術及び使い捨て吸収性物品を構成することを含む。例えば、バックシート及び／又はトップシートは、接着剤の均一な連続層、接着剤の模様付き層、又は接着剤の別個の線、螺旋、若しくは点の配列により、吸収性構造体／吸収性コアに結合させるか、又は互いに結合させることができる。満足のいくものであることが判明した接着剤は、Ｈ．Ｂ．Ｆｕｌｌｅｒ  Ｃｏｍｐａｎｙ（Ｓｔ．Ｐａｕｌ，Ｍｉｎｎｅｓｏｔａ）によって、ＨＬ−１２５８又はＨ−２０３１の名称で製造されている。トップシート、バックシート、及び吸収性構造体（１３）／コアを様々な公知の構成で組み立ててもよいが、おむつ（１）の構成は、概して、Ｒｏｅらに付与された１９９６年９月１０日発行の米国特許第５，５５４，１４５号「Ａｂｓｏｒｂｅｎｔ  Ａｒｔｉｃｌｅ  Ｗｉｔｈ  Ｍｕｌｔｉｐｌｅ  Ｚｏｎｅ  Ｓｔｒｕｃｔｕｒａｌ  Ｅｌａｓｔｉｃ−Ｌｉｋｅ  Ｆｉｌｍ  Ｗｅｂ  Ｅｘｔｅｎｓｉｂｌｅ  Ｗａｉｓｔ  Ｆｅａｔｕｒｅ」、Ｂｕｅｌｌらに付与された１９９６年１０月２９日発行の米国特許第５，５６９，２３４号「Ｄｉｓｐｏｓａｂｌｅ  Ｐｕｌｌ−Ｏｎ  Ｐａｎｔ」、及びＲｏｂｌｅｓらに付与された１９９９年１２月２１日発行の米国特許第６，００４，３０６号「Ａｂｓｏｒｂｅｎｔ  Ａｒｔｉｃｌｅ  Ｗｉｔｈ  Ｍｕｌｔｉ−Ｄｉｒｅｃｔｉｏｎａｌ  Ｅｘｔｅｎｓｉｂｌｅ  Ｓｉｄｅ  Ｐａｎｅｌｓ」に記載されている。
【０１３３】
吸収性構造体の作成方法（１３）
本明細書の吸収性構造体（１３）は、支持シート（１６）上に前記吸収性材料（５０）を堆積する工程、例えば製造する前記チャネル（２６）の形状及び寸法の盛り上がった部分上に第１の前記支持シート（１６）を配置し、次いでその上に前記吸収性材料（５０）を堆積する工程を含む方法によって作製されてもよく、これにより、吸収性材料（５０）は前記盛り上がった部分上ではなく、支持シート（１６）の残りの部分のみに残る。
【０１３４】
いくつかの実施形態では、実質的に吸収性材料（５０）を有しない２つ以上のチャネル（２６）を内部に有する吸収性層（１７）を有する吸収性構造体（１３）が、例えば、以下の工程を含む方法によって得られる。
ａ）前記吸収性材料（５０）を、ホッパー等の第１の移動無端表面に供給するためのフィーダーを提供する工程と、
ｂ）第２の移動無端表面に支持シート（１６）を輸送するための輸送手段を提供する工程と、
ｃ）長手方向寸法及び平均長さ、垂直な横方向寸法及び平均幅、両方に対する垂線、深さ寸法及び平均深さ、及びその内部に前記吸収性材料（５０）を受けるための隙間を有する、１つ以上の吸収性層（１７）形成リザーバを有する、第１の移動無端表面を提供する工程であって、前記リザーバは、例えば、リザーバの平均幅の少なくとも４％又は少なくとも５％の平均幅Ｗ、及び前記リザーバの平均長手方向寸法の少なくとも５％及び最大で３０％の平均長さＬをそれぞれ有する、隙間を有しない、１つ以上の実質的に長手方向に延在する盛り上がったストリップを含んでおり、前記リザーバは、これに隣接する及びこれに近接する前記第２の移動無端表面に前記吸収性材料（５０）を移動させるためのものである、工程と、
ｄ）受容エリア及び通気性であり得る１つ以上の実質的に長手方向に延在する嵌め合いストリップと共に、その上又はその内部に前記支持シート（１６）を受けるための１つ以上の通気性又は部分的に通気性の容器を有する外側シェルを有しており、かつ、それぞれ、例えば少なくとも２．５ｍｍ、０．５×Ｗ〜１．２×ＷのＷ’の平均幅を有しており、例えばＬ’の平均長さは約０．８×Ｌ〜１．２×Ｌである、第２の移動表面を提供する工程と、
これにより、前記通気性のある外側シェルは、支持シート（１６）及び／又はその上の前記吸収性材料（５０）の保持に役立つための１つ以上の二次真空システムに接続され、
これにより、接合点において、前記第１の移動無端表面及び前記外側シェルは、各嵌め合いストリップが実質的に完全に隣接し、かつ、前記吸収性材料（５０）の輸送時に盛り上がったストリップに近接するように、少なくとも部分的に互いに隣接し、かつ、前記吸収性材料の輸送時に互いに近接し、
ｅ）少なくともその前記リザーバにおいて前記フィーダーで吸収性材料（５０）を前記第１の移動無端表面に供給する工程と、
ｆ）任意で、前記盛り上がったストリップ上の吸収性材料（５０）を除去する工程と、
ｇ）同時に、前記支持シート（１６）を前記第２の移動無端表面へと、前記容器上又は容器中に移動させる工程と、
ｈ）前記容器の前記受容エリア上又はエリア内の支持シート（１６）の前記部分までのみ、前記第１の移動無端表面と共に、前記吸収性材料（５０）を、前記合流点において選択的に移動させる工程と、
ｉ）１）工程ｇの前記吸収性構造体（１３）に接着材料（すなわち第１の接着材料（４０）を塗布する工程と、及び／又は
ｉ）２）工程ｆの前に、又はこれと同時であるが、いずれにせよ工程ｇ）の前に、前記支持シート（１６）に接着材料（すなわち第２の接着材料（６０））を塗布する工程と、を含んでおり、
工程ｉ）１）は、前記吸収性層、又はその一部の上に、繊維の形態の前記第１の接着剤（１７）材料を、例えば実質的に連続的に噴霧することを含み得るため、これは前記チャネル（２６）にも存在する。
工程ｉ）２）は、連続的に、又は例えばチャネル（２６）パターンに対応するパターンで支持シート（１６）をスロットコーティング又はスプレーコーティングすることを含み得る。
【０１３５】
前記リザーバは、リザーバ内に前記吸収性材料（５０）を受けるための隙間を有する複数の溝及び／又はキャビティによって形成され得る。いくつかの実施形態において、（各）ストリップの平均幅Ｗは、少なくとも６ｍｍ、例えば少なくとも７ｍｍ、及び／又は各リザーバの平均幅の少なくとも７％、又は例えば、少なくとも１０％であってもよい。
【０１３６】
前記溝及び／又は空洞はそれぞれ例えば、少なくとも３ｍｍの最大横方向寸法を有し、実質的に横方向の寸法における直接隣接する空洞及び／又は溝との間の最短距離は、５ｍｍ未満である。隆起ストリップに直に隣接する空洞及び／又は溝は、上記ストリップ又は別のストリップと直に隣接していない、これらの隣り合う空洞又は溝の１つ以上、又は全ての体積よりも大きな体積を有してもよい（したがって、ストリップから更に除去されている）。
【０１３７】
前記第１移動無端表面のリザーバは、少なくとも一部空気透過性であってもよく、上記第１移動無端表面は上記リザーバを含む円筒形表面を有してもよく、真空チャンバを含む固定子を中心に回転移動する。上記第２移動表面の外殻は円筒形であってもよく、上記二次真空システムに接続された二次真空チャンバを含む固定子を中心に回転移動する。
【０１３８】
方法は、吸収性コア（７）又は上記の吸収性構造体（１３、１３’）のうちの２つ以上を含む構造、例えば、第１の層の吸収性材料（５０）及び他の第２の層の吸収性材料（５０）が互いに隣接し、かつ、第１の層の支持シート（１６）と第２の層の支持シート（１６）との間に挟まれるように、互いに重ね合わされる２つのかかる層を作製するためのものであってもよい。
【０１３９】
方法は、圧力を吸収性構造体（１３）及び典型的には吸収性構造体（１３）上に印加できる圧延ロール等の圧力手段の提供を含んでもよく、これにより、吸収性材料（５０）は、支持シート（１６）と更なる材料との間に挟まれ、前記支持シート（１６）又はこのセクション内に上記のように、吸収性層（１７）上に配置される更なる材料／層のうちのいずれか上へ、圧力を印加してもよい。吸収性構造体（１３）のチャネル（２６及び／又は２６’）上のみ、例えば、チャネル（２６）に相当し、このために（対向する表面上で）吸収性材料（５０）を含まない支持シート（１６）の部分上に、前記吸収性材料（５０）自体の圧縮を避けるために、及び／又はチャネル（２６’）に相当し、このため、（対向する表面上で）吸収性材料（５０）を含まない、更なる材料、例えばその支持シート（１６’）の部分上に、前記吸収性材料（５０）自体の圧縮を避けるために、圧力を選択的に印加するためにこの圧力印加を行ってもよい。
【０１４０】
こうして、圧力手段は、盛り上がったストリップ及び／又は前記嵌め合いストリップの前記パターンに相当する、場合によっては嵌め合いストリップのパターンに相当する盛り上がった圧力パターンを有してもよい。
【０１４１】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ｍｍ」として開示される寸法は、「約４０ｍｍ」を意味することを意図する。
【０１４２】
任意の相互参照又は関連特許若しくは関連出願を包含する本明細書に引用される全ての文献は、明確に除外ないしは別の方法で限定されないかぎり、その全てを本明細書中に参照により組み込まれる。いずれの文献の引用も、こうした文献が本願で開示又は特許請求される全ての発明に対する先行技術であることを容認するものではなく、また、こうした文献が、単独で、あるいは他の全ての参照文献とのあらゆる組み合わせにおいて、こうした発明のいずれかを参照、教示、示唆又は開示していることを容認するものでもない。更に、本文書において、用語の任意の意味又は定義の範囲が、参考として組み込まれた文書中の同様の用語の任意の意味又は定義と矛盾する場合には、本文書中で用語に割り当てられる意味又は定義に準拠するものとする。
【０１４３】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのような全ての変更及び修正を添付の特許請求の範囲で扱うものとする。
【図１】
2015533623.tif 000003
【図２Ａ】
2015533623.tif 000004
【図２Ｂ】
2015533623.tif 000005
【図２Ｃ】
2015533623.tif 000006
【図３Ａ】
2015533623.tif 000007
【図３Ｂ】
2015533623.tif 000008
【図４Ａ】
2015533623.tif 000009
【図４Ｂ】
2015533623.tif 000010
【図５】
2015533623.tif 000011
【図６】
2015533623.tif 000012
【図７】
2015533623.tif 000013
【図８】
2015533623.tif 000014
【図９】
2015533623.tif 000015
【図１０】
2015533623.tif 000016
【図１１】
2015533623.tif 000017
【図１２】
2015533623.tif 000018
【図１３】
2015533623.tif 000019
【図１４】
2015533623.tif 000020
【図１５】
2015533623.tif 000021
【図１６】
2015533623.tif 000022
【図１７Ａ】
2015533623.tif 000023
【図１７Ｂ】
2015533623.tif 000024
【図１７Ｃ】
2015533623.tif 000025
【図１８】
2015533623.tif 000026
【図１９】
2015533623.tif 000027
【国際調査報告】
2015533623.tif 000028
2015533623.tif 000029
2015533623.tif 000030
2015533623.tif 000031
2015533623.tif 000032
2015533623.tif 000033